(57)【要約】【課題】装置内に蓄積されたデータファイルの放送方式及び装置システム周波数が互いに異なる場合であっても、それぞれの放送方式及び装置システム周波数に自動的に対応してデータファイルを再生することが可能な素材再生装置を提供する。【解決手段】制御部８０は、蓄積部２０に蓄積された複数の素材のサムネイル画像を表示部４０に表示させる。制御部８０は、操作受信部１０を介していずれかのサムネイル画像が選択されると、選択されたサムネイル画像と関連したフォーマット情報関連ファイルを読出し部３０に読み出させる。デコーダ６０は、読出し部３０からのフォーマット情報関連ファイルに基づいて放送方式及び装置システム周波数を設定する。そして、制御部８０は、選択されたサムネイル画像の映像／音声／補助データファイルを読出し部３０に読み出させ、デコーダ６０でデコードさせる。【選択図】      図４
2011176624.tif 000002
【特許請求の範囲】
【請求項１】
少なくとも実データ、前記実データに対応したサムネイル画像データ、及び、前記サムネイル画像データと関連したフォーマット情報関連データにより管理される素材を記録する蓄積部と、
前記実データ、前記サムネイル画像データ又は前記フォーマット情報関連データのいずれかを読出し制御に従って読み出す読出し部と、
前記読出し部からのサムネイル画像データを表示する表示部と、
外部からの再生操作を受信する操作受信部と、
前記操作受信部が前記表示部におけるいずれかの指定サムネイル画像データに対する再生操作を受信した場合、前記指定サムネイル画像データと関連したフォーマット情報関連データを前記読出し部に読み出させる第１の読出し制御と、前記第１の読出し制御の後、前記指定サムネイル画像データに対応した実データを前記読出し部に読み出させる第２の読出し制御とを行う制御部と、
前記読出し部からの実データを、前記読出し部からのフォーマット情報関連データに基づくデコード方式によりデコードするデコーダと
を具備することを特徴とする素材再生装置。
【請求項２】
前記デコーダでのデコード処理で使用される同期信号を、前記読出し部からのフォーマット情報関連データに基づいて生成する同期信号生成部をさらに具備し、
前記デコーダは、前記同期信号に基づいて前記デコード処理を行うことを特徴とする請求項１記載の素材再生装置。
【請求項３】
前記デコーダからの画像の出力方式を、変換指示に従って変換する出力方式変換部をさらに具備し、
前記制御部は、前記読出し部からのフォーマット情報関連データに基づき、前記出力方式変換部に対して変換制御を行うことを特徴とする請求項１記載の素材再生装置。
【請求項４】
前記デコーダでのデコード処理及び前記出力方式変換部での変換処理で使用される同期信号を、前記読出し部からのフォーマット情報関連データに基づいて生成する同期信号生成部をさらに具備し、
前記デコーダは、前記同期信号に基づいて前記デコード処理を行い、
前記出力方式変換部は、前記同期信号に基づいて前記変換処理を行うことを特徴とする請求項３記載の素材再生装置。
【発明の詳細な説明】
【技術分野】
【０００１】
この発明は、例えばフラッシュメモリ等のリムーバブル記録媒体に記録された素材データを再生する素材再生装置に関する。
【背景技術】
【０００２】
従来、放送局等で用いられる業務用の素材再生装置では、蓄積されたデータファイルを再生する際の放送方式及び装置システム周波数が予め設定されている。ここで、放送方式とは、ＨＤ（High Definition）映像を再生するための放送方式、又は、ＳＤ（Standard Definition）映像を再生するための放送方式等を示す。この種の素材再生装置では、ＨＤ映像又はＳＤ映像のデータファイルを再生するためには、それぞれのデータファイルに応じた放送方式及び装置システム周波数が予め設定されている必要がある。このため、素材再生装置は、予め設定された放送方式及び装置システム周波数に応じたデータファイル以外は再生することができない。また、素材再生装置は、設定された放送方式及び装置システム周波数と対応していないデータファイルが蓄積部内に存在する場合、表示部にそのデータファイルについて再生不可能の表示を表示する。
【０００３】
上述の素材再生装置において、設定された装置フォーマット以外のデータを再生しようとする場合、ユーザは、装置の前面にある操作パネルから、メニューに沿って装置を操作する。そして、ユーザは、放送方式及び装置システム周波数を、再生を希望するデータファイルに対応する放送方式及び装置システム周波数へ変更する。これにより、素材再生装置は、ユーザが希望するデータファイルを再生することが可能となる。また、素材再生装置は、放送方式及び装置システム周波数が変更されることによりデータファイルが再生可能となった場合、表示部においてそのデータファイルについて再生不可能の表示を解除する。そして、素材再生装置は、そのデータファイルのサムネイル画像を表示部に表示する。このとき、素材再生装置は、再生対象から外れたデータファイルについては、再生不可能の旨を表示する。
【０００４】
なお、再生する素材のフォーマット（ＣＯＤＥＣ形式）を自動的に判断し、そのフォーマットに応じたデコーダにより素材データを再生する放送システムが提案されている（例えば、特許文献１参照）。しかしながら、特許文献１では、放送方式及び装置システム周波数を変更してデータファイルを再生する方式についての具体的な提案はなされていない。
【先行技術文献】
【特許文献】
【０００５】
【特許文献１】特開２００８−７８９１４号公報
【発明の概要】
【発明が解決しようとする課題】
【０００６】
以上のように、従来の素材再生装置では、予め設定された放送方式及び装置システム周波数に対応していないデータファイルの再生をユーザが希望する場合、そのデータファイルに対応した放送方式及び装置システム周波数を手動で再設定しなければならず、手間がかかっていた。
【０００７】
この発明は上記事情によりなされたもので、その目的は、装置内に蓄積されたデータファイルの放送方式及び装置システム周波数が互いに異なる場合であっても、それぞれの放送方式及び装置システム周波数に自動的に対応してデータファイルを再生することが可能な素材再生装置を提供することにある。
【課題を解決するための手段】
【０００８】
上記目的を達成するため、本発明に係る素材再生装置は、少なくとも実データ、前記実データに対応したサムネイル画像データ、及び、前記サムネイル画像データと関連したフォーマット情報関連データにより管理される素材を記録する蓄積部と、前記実データ、前記サムネイル画像データ又は前記フォーマット情報関連データのいずれかを読出し制御に従って読み出す読出し部と、前記読出し部からのサムネイル画像データを表示する表示部と、外部からの再生操作を受信する操作受信部と、前記操作受信部が前記表示部におけるいずれかの指定サムネイル画像データに対する再生操作を受信した場合、前記指定サムネイル画像データと関連したフォーマット情報関連データを前記読出し部に読み出させる第１の読出し制御と、前記第１の読出し制御の後、前記指定サムネイル画像データに対応した実データを前記読出し部に読み出させる第２の読出し制御とを行う制御部と、前記読出し部からの実データを、前記読出し部からのフォーマット情報関連データに基づくデコード方式によりデコードするデコーダとを具備する。
【０００９】
上記構成による素材再生装置では、ユーザにより表示部に表示されたサムネイル画像データが選択された場合、そのサムネイル画像データと関連したフォーマット情報関連データに従って、デコーダのデコード方式を設定する。そして、設定したデコード方式に基づいて、実データをデコードするようにしている。これにより、素材再生装置は、素材の放送方式及び装置システム周波数に応じて、自装置の放送方式及び装置システム周波数を自動設定することが可能となる。
【発明の効果】
【００１０】
この発明によれば、装置内に蓄積されたデータファイルの放送方式及び装置システム周波数が互いに異なる場合であっても、それぞれの放送方式及び装置システム周波数に自動的に対応してデータファイルを再生することが可能な素材再生装置を提供することができる。
【図面の簡単な説明】
【００１１】
【図１】本発明の一実施形態に係る素材再生装置の機能構成を示すブロック図である。
【図２】図１の蓄積部に記録されている素材を示す模式図である。
【図３】図２のサムネイルデータファイルにおけるデータ構成を示す模式図である。
【図４】図１の制御部が映像／音声／補助データファイルを再生する際の処理を示すフローチャートである。
【発明を実施するための形態】
【００１２】
以下、図面を参照しながら本発明に係る素材再生装置の実施の形態について詳細に説明する。
【００１３】
図１は、本発明の一実施形態に係る素材再生装置の機能構成を示すブロック図である。図１における素材再生装置は、操作受信部１０、読出し部３０、蓄積部２０、表示部４０、同期信号生成部５０、デコーダ６０、出力方式変換部７０及び制御部８０を具備する。蓄積部２０、読出し部３０、表示部４０、同期信号生成部５０、デコーダ６０、出力方式変換部７０及び制御部８０は、それぞれバスに接続されている。また、制御部８０には、操作受信部１０が接続されている。
【００１４】
操作受信部１０は、素材再生装置のパネル表面に設置されたものである。操作受信部１０は、ユーザからの操作を受け付け、その操作情報を制御部８０へ通知する。
【００１５】
蓄積部２０は、素材を記録する。このとき、蓄積部２０には、装置に内蔵された内蔵記録媒体、着脱自在なリムーバブル記録媒体、又は、装置の外部に接続された外部記録媒体等が想定される。ここで、記録媒体には、例えばフラッシュメモリ等のランダムアクセス可能な不揮発性半導体メモリが用いられる。フラッシュメモリは、書き換え可能な不揮発性半導体メモリであり、高速ランダムアクセス性という利点があるほか、テープや光ディスクドライブとは異なり、機械的な可動部を持たないため耐振動性などに優れている。なお、図１では、蓄積部２０に素材が一つだけ蓄積されている例について示しているが、蓄積部２０には複数の素材が蓄積されていても構わない。
【００１６】
図２は、本発明の一実施形態に係る素材再生装置の蓄積部２０に記録されている素材を示す模式図である。蓄積部２０において、素材は、映像／音声／補助（ＡＮＣ）データファイル、サムネイルデータファイル、プロキシデータファイル、プレイリストデータファイル及びメタデータファイル等が互いに関連付けられて管理されている。
【００１７】
図３は、サムネイルデータファイルにおけるデータ構成を示す模式図である。サムネイルデータファイルは、映像／音声／補助データファイルのサムネイル画像ファイルと、このサムネイル画像ファイルと関連付けられたフォーマット情報関連ファイルとを備える。
【００１８】
サムネイル画像ファイルは、映像／音声／補助データの代表画を小さな容量の画像で表した、例えばビットマップファイルである。代表画には、例えば、映像／音声／補助データファイルの先頭フレームの画像が選択される。
【００１９】
フォーマット情報関連ファイルは、例えば、ＸＭＬファイルである。フォーマット情報関連ファイルには、例えば、放送方式情報、装置システム周波数情報、音声ｂｉｔ数情報及び圧縮解凍フォーマット情報等が含まれる。ここで、放送方式情報とは、ＨＤ（High Definition）映像を再生するための放送方式、又は、ＳＤ（Standard Definition）映像を再生するための放送方式に関する情報である。また、装置システム周波数情報とは、それぞれの放送方式において、データファイルを再生する際の周波数に関する情報をいう。
【００２０】
読出し部３０は、制御部８０からの読出し指示に従って、蓄積部２０に蓄積された素材のうち映像／音声／補助データファイル、サムネイル画像ファイル又はフォーマット情報関連ファイルを読み出す。読出し部３０は、映像／音声／補助データファイルをデコーダ６０へ出力する。また、読出し部３０は、サムネイル画像ファイルを表示部４０へ出力する。また、読出し部３０は、フォーマット情報関連ファイルを同期信号生成部５０、デコーダ６０及び制御部８０へ出力する。
【００２１】
表示部４０は、例えば、ＬＣＤ（Liquid Crystal Display）から成る。表示部４０は、読出し部３０からのサムネイル画像ファイルに基づいたサムネイル画像を表示する。ユーザは、表示部４０に表示されたサムネイル画像を参照し、操作受信部１０へ再生操作を与える。
【００２２】
同期信号生成部５０は、読出し部３０からのフォーマット情報関連ファイルにおける装置システム周波数情報に基づいて、クロック信号を生成する。同期信号生成部５０は、このクロック信号をデコーダ６０及び出力方式変換部７０へ出力する。
【００２３】
デコーダ６０は、読出し部３０からのフォーマット情報関連ファイルに基づいて、映像／音声／補助データファイルのデコード方式を設定する。
【００２４】
例えば、デコーダ６０は、映像／音声／補助データファイルが１０８０ｉ方式に従ったＨＤ映像のファイルである場合、フォーマット情報関連ファイルの放送方式情報に従ってＨＤ放送方式を設定し、装置システム周波数情報に従って５９．９４Ｈｚ、５０Ｈｚ或いは２４．９７Ｈｚを設定し、音声ｂｉｔ数情報に従って１６ｂｉｔ又は２４ｂｉｔを設定し、圧縮解凍フォーマット情報に従ってＭＰＥＧ２形式を設定する。
【００２５】
同様に、デコーダ６０は、映像／音声／補助データファイルがＮＴＳＣ（National Television System Committee）方式に従ったＳＤ映像のファイルである場合、フォーマット情報関連ファイルの放送方式情報に従ってＳＤ放送方式を設定し、装置システム周波数情報に従って５９．９４Ｈｚを設定し、音声ｂｉｔ数情報に従って１６ｂｉｔ又は２４ｂｉｔを設定し、圧縮解凍フォーマット情報に従ってＭＰＥＧ２形式を設定する。
【００２６】
また、デコーダ６０は、映像／音声／補助データファイルがＰＡＬ（Phase Alternation by Line）方式に従ったＳＤ映像のファイルである場合、フォーマット情報関連ファイルの放送方式情報に従ってＳＤ放送方式を設定し、装置システム周波数情報に従って５０Ｈｚを設定し、音声ｂｉｔ数情報に従って１６ｂｉｔ又は２４ｂｉｔを設定し、圧縮解凍フォーマット情報に従ってＭＰＥＧ２形式を設定する。
【００２７】
そして、デコーダ６０は、設定したデコード方式により、読出し部３０からの映像／音声／補助データファイルを、同期信号生成部５０からのクロック信号を用いてデコードする。
【００２８】
出力方式変換部７０は、制御部８０からの変換指示に従って、デコーダ６０からの画像の出力方式を、同期信号生成部５０からのクロック信号を用いて変換する。
【００２９】
例えば、出力方式変換部７０は、制御部８０からＳＤ画像をＨＤ画像へアップコンバートする旨の変換指示がなされた場合、デコーダ６０からのＳＤ画像をＨＤ画像へ変換する。また、出力方式変換部７０は、制御部８０からＨＤ画像をＳＤ画像へダウンコンバートする旨の変換指示がなされた場合、デコーダ６０からのＨＤ画像をＳＤ画像へ変換する。また、出力方式変換部７０は、制御部８０からＨＤ１０８０ｉをＨＤ７２０ｐへクロスコンバートする旨の変換指示がなされた場合、デコーダ６０からのＨＤ１０８０ｉの画像をＨＤ７２０ｐの画像へ変換する。なお、クロスコンバートの方式はこの例に限定される訳では無い。
【００３０】
変換された画像は、出力部（図示せず）から外部の表示装置へ出力される。
【００３１】
制御部８０は、操作受信部１０からの再生操作に従って、素材再生装置における素材ファイルの再生処理を制御する。
【００３２】
次に、上記構成における動作を説明する。
【００３３】
図４は、本発明の一実施形態に係る素材再生装置の制御部８０が映像／音声／補助データファイルを再生する際の処理を示すフローチャートである。
【００３４】
まず、制御部８０は、蓄積部２０における素材の有無を確認する（ステップＳ４１）。なお、ここでは、蓄積部２０に複数の素材が存在する場合について説明する。制御部８０は、蓄積部２０において複数の素材を認識すると、それらの素材のサムネイル画像ファイルを読み出すように、読出し部３０に対して読出し指示を与える（ステップＳ４２）。
【００３５】
読出し部３０は、全ての素材のサムネイル画像ファイルを読み出し、表示部４０へ出力する。そして、表示部４０は、これらのサムネイル画像ファイルに基づいたサムネイル画像を表示する。
【００３６】
続いて、制御部８０は、複数のサムネイル画像のうちいずれかのサムネイル画像が選択されたか否かを判断する（ステップＳ４３）。制御部８０は、いずれかのサムネイル画像が選択された場合（ステップＳ４３のＹｅｓ）、選択されたサムネイル画像ファイルと関連付けられたフォーマット情報関連ファイルを読み出すように、読出し部３０に対して読出し指示を与える（ステップＳ４４）。
【００３７】
読出し部３０は、この読出し制御に従って、フォーマット情報関連ファイルを読み出す。そして、読出し部３０は、フォーマット情報関連ファイルを同期信号生成部５０、デコーダ６０及び制御部８０へ出力する。デコーダ６０は、読出し部３０からのフォーマット情報関連ファイルに基づいてデコード方式を設定する。
【００３８】
続いて、制御部８０は、読出し部３０からのフォーマット情報関連ファイルに基づいてデコーダ６０からの画像の出力方式を変換する必要があるか否かを判断する（Ｓ４５）。ここで、出力方式を変換する必要がある場合とは、例えば、外部の表示装置が新たに設定された放送方式及び装置システム周波数に対応していない等の場合である。制御部８０は、Ｓ４４の判断において、出力方式を変換する必要がある場合（Ｓ４５のＹｅｓ）、出力方式変換部７０に対して画像の出力方式を変換する旨の変換指示を与える（Ｓ４６）。
【００３９】
制御部８０は、デコーダ６０におけるデコード方式の設定が完了すると、映像／音声／補助データファイルを読み出すように、読出し部３０に対して読出し指示を与える（ステップＳ４７）。読出し部３０により読み出された映像／音声／補助データファイルは、デコーダ６０へ出力される。同期信号生成部５０は、読出し部３０からのフォーマット情報関連ファイルにおける装置システム周波数情報に基づいてクロック信号を生成する。そして、同期信号生成部５０は、クロック信号をデコーダ６０及び出力方式変換部７０へ出力する。デコーダ６０は、同期信号生成部５０からのクロック信号を用い、新たに設定したデコード方式に基づいて映像／音声／補助データファイルをデコードする。出力方式変換部７０は、制御部８０からの変換指示に従って、デコーダ６０からの画像の出力方式を、同期信号生成部５０からのクロック信号を用いて変換する。
【００４０】
また、制御部８０は、Ｓ４４の判断において、出力方式を変換する必要がない場合（Ｓ４４のＮｏ）、処理をＳ４６へ移行する。
【００４１】
以上のように、上記一実施形態では、ユーザにより素材のサムネイル画像が選択された場合、その素材のサムネイル画像ファイルと関連したフォーマット情報関連ファイルに従って、同期信号生成部５０、デコーダ６０及び出力方式変換部７０の設定を変更するようにしている。これにより、素材再生装置は、素材の放送方式及び装置システム周波数に応じて、自装置が対応する放送方式及び装置システム周波数を自動設定することが可能となる。また、素材再生装置は、放送方式及び装置システム周波数を自動設定することが可能であるため、表示部４０に再生不可能の表示が付されることはなく、蓄積部２０に蓄積される全ての素材のサムネイル画像が表示される。
【００４２】
したがって、本発明に係る素材再生装置によれば、装置内に蓄積されたデータファイルの放送方式及び装置システム周波数が互いに異なる場合であっても、それぞれの放送方式及び装置システム周波数に自動的に対応してデータファイルを再生することができる。
【００４３】
なお、この発明は上記実施形態そのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせてもよい。
【符号の説明】
【００４４】
１０…操作受信部
２０…蓄積部
３０…読出し部
４０…表示部
５０…同期信号生成部
６０…デコーダ
７０…出力方式変換部
８０…制御部
【図１】
2011176624.tif 000003
【図２】
2011176624.tif 000004
【図３】
2011176624.tif 000005
【図４】
2011176624.tif 000006